(57)【要約】【課題】    装着時の操作性に優れており、また、着用者の体形の個人差に対する適応性が高く、幅広い着用者において、脚周りに優れたフィット性を得ることのできる使い捨ておむつを提供すること。【解決手段】  長手方向の後方部の両側にウエストバンド部１０，１０を有すると共に、長手方向の前方部の両側にフラップ部２０，２０を有しており、バンド止着部１１により、左右のウエストバンド部を連結した後、おむつ止着部２１により、前方部Ｂを、ウエストバンド部１０に固定して着用することができるようになしてある使い捨ておむつ１であって、ウエストバンド部１０及びフラップ部２０それぞれに、着用者の胴の周方向に伸縮する伸縮部１２，２２を有している。【選択図】    図１
2006042863.tif 000002
【特許請求の範囲】
【請求項１】
吸収性コアを有し、長手方向の後方部の両側にウエストバンド部を有し、左右のウエストバンド部の少なくとも何れか一方にバンド止着部が設けられていると共に、長手方向の前方部の両側にフラップ部を有し、該各フラップ部におむつ止着部が設けられており、
前記バンド止着部により、左右のウエストバンド部を連結した後、前記おむつ止着部により、前記前方部を、前記ウエストバンド部に固定して着用することができるようになしてある使い捨ておむつであって、
前記ウエストバンド部及び前記フラップ部それぞれに、着用者の胴の周方向に伸縮する伸縮部を有している使い捨ておむつ。
【請求項２】
一方のフラップ部の前記伸縮部と、他方のフラップ部の前記伸縮部との間に、第２のおむつ止着部が設けられている請求項１記載の使い捨ておむつ。
【請求項３】
前記第２のおむつ止着部が、前記各フラップ部に設けられている請求項２記載の使い捨ておむつ。
【請求項４】
股下部の両側部にレッグギャザー形成用のレッグ弾性部材が配されており、前記フラップ部の伸縮部と該レッグ弾性部材とが、おむつ長手方向において離間している請求項１〜３の何れか記載の使い捨ておむつ。
【請求項５】
長手方向の後方部の両側にウエストバンド部を有し、左右のウエストバンド部の少なくとも何れか一方にバンド止着部が設けられていると共に、長手方向の前方部の両側にフラップ部を有し、該各フラップ部におむつ止着部が設けられており、
前記バンド止着部により、左右のウエストバンド部を連結した後、前記おむつ止着部により、前記前方部を、前記ウエストバンド部に固定して着用することができるようになしてあるおむつカバーであって、
前記ウエストバンド部及び前記フラップ部それぞれに、着用者の胴の周方向に伸縮する伸縮部を有しているおむつカバー。
【発明の詳細な説明】
【技術分野】
【０００１】
本発明は、左右のウエストバンド部を連結した後、長手方向の一端部を、連結された状態のウエストバンド部に固定して着用することができるようになしてあるウエストバンドタイプの使い捨ておむつに関する。
【背景技術】
【０００２】
従来の使い捨ておむつとして、液透過性の表面シート、液不透過性の裏面シート及び両シート間に介在する液保持性の吸収性コアを有し、長手方向の後方部の両側にウエストバンド部を有し、左右のウエストバンド部の少なくとも何れか一方にバンド止着部が設けられていると共に、長手方向の前方部の両側にフラップ部を有し、該各フラップ部におむつ止着部が設けられている、ウエストバンドタイプの使い捨ておむつが知られている。
【０００３】
このウエストバンドタイプの使い捨ておむつは、左右のウエストバンド部を胴の周囲において連結した後、長手方向の前方部を、連結された状態のウエストバンド部に固定して着用することができるようになしてあり、装着時における操作性、特に立ったままで装着する際の操作性に優れている等の利点を有するものである。また、このような使い捨ておむつにおける、ウエストバンド部の一部を伸縮性としたおむつが提案されている（特許文献１，２等参照）。
【０００４】
【特許文献１】特開平９−１５４８８４号公報
【特許文献２】特開平９−２８５４８９号公報
【０００５】
しかし、従来のウエストバンドタイプのおむつは、着用者の胴の周長、特にウエスト廻りの周長の個人差により、着用時に生じるレッグホールの形状が大きく変化し、そのため、着用者の体形によっては、脚周りに対するフィット性が不充分となって、漏れが生じやすくなるという問題があった。この点については、ウエストバンド部の一部を伸縮性とした場合にも同様であった。
【０００６】
従って、本発明の目的は、装着時の操作性に優れており、また、着用者の体形の個人差に対する適応性が高く、幅広い着用者において、脚周りに優れたフィット性を得ることのできる使い捨ておむつを提供することにある。
【発明の開示】
【課題を解決するための手段】
【０００７】
本発明は、吸収性コアを有し、長手方向の後方部の両側にウエストバンド部を有し、左右のウエストバンド部の少なくとも何れか一方にバンド止着部が設けられていると共に、長手方向の前方部の両側にフラップ部を有し、該各フラップ部におむつ止着部が設けられており、前記バンド止着部により、左右のウエストバンド部を連結した後、前記おむつ止着部により、前記前方部を、前記ウエストバンド部に固定して着用することができるようになしてある使い捨ておむつであって、前記ウエストバンド部及び前記フラップ部それぞれに、着用者の胴の周方向に伸縮する伸縮部を有している使い捨ておむつを提供することにより、前記目的を達成したものである。
【発明を実施するための最良の形態】
【０００８】
以下、本発明をその好ましい実施形態に基づき図面を参照しながら説明する。
本発明の一実施形態としての使い捨ておむつ１（以下、おむつ１ともいう）は、図１に示されるように、液透過性の表面シート２、液不透過性の裏面シート３、及びこれら両シート２，３間に介在する液保持性の吸収性コア４を有し、長手方向の後方部Ａの両側にウエストバンド部１０，１０を有し、左右のウエストバンド部の一方にバンド止着部１１が設けられていると共に、長手方向の前方部Ｂの両側にフラップ部２０，２０を有し、該各フラップ部２０におむつ止着部２１が設けられている。
使い捨ておむつの長手方向とは、おむつ着用時に、着用者の前後方向と一致する方向であり、図１における上下方向である。使い捨ておむつの後方部及び前方部は、おむつ長手方向の両端縁それぞれからおむつ全長の１／３位迄の領域である。本実施形態における後方部Ａは、着用者の背中側に配される部位であるが、本発明のおむつは、後方部を、着用者の背中側及び腹側の何れにも配することができるおむつであっても良い。
【０００９】
吸収性コア４は、表面シート２及び裏面シート３により挟持・固定されており、吸収性コア４の周縁部におけるウエスト部５とレッグ部６には、おむつ着用者に各部位をフィットさせるためのウエスト部弾性部材５１及びレッグ弾性部材６１が配設されている。レッグ弾性部材６１は、股下部Ｃの左右両側部にレッグギャザーを形成している。また、使い捨ておむつ１の長手方向左右両側には、それぞれ立体ガード７が形成されている。立体ガード７の自由端には立体ガード弾性部材７１が配されて、ギャザーが形成されている。
【００１０】
両ウエストバンド部１０は、おむつ幅方向（ウエストバンド部１０の延出方向に同じ，図１の左右方向）における、それぞれの一部が、着用者の胴の周方向に伸縮するバンド部伸縮部１２となっている。
より詳細には、各ウエストバンド部１０の延出方向の先端側にバンド部伸縮部１２が形成されており、各バンド部伸縮部１２は、ウエストバンド部１０の上縁と下縁との間に亘っている。
ウエストバンド部１０は、後方部Ａにおいて、股下部Ｃの最小幅部分におけるおむつ両側縁の位置よりもおむつ幅方向外方に延出する部分であり、吸収性コア４が存在していないことが好ましい。また、着用者の胴の周方向とは、平面状に延ばした使い捨ておむつの幅方向（図１の左右方向）と同義である。
【００１１】
おむつ１における両ウエストバンド部１０は、延出方向の先端側に形成されたバンド部伸縮部１２と、その基端寄りの位置に形成された、実質的に伸縮性を有しない非伸縮部１３とを有する。
両ウエストバンド部１０は、バンド部伸縮部１２を形成する伸縮性シート及び非伸縮部１３を形成するシートとが連結された構成の複合シートを、後方部Ａの本体部分の両側縁部に、接着剤、ヒートシール、超音波シール等の公知の接合方法により接合して形成されている。
【００１２】
両フラップ部２０は、おむつ幅方向（フラップ部２０の延出方向に同じ，図１の左右方向）における、それぞれ一部が、着用者の胴の周方向に伸縮するフラップ部伸縮部２２となっている。
より詳細には、各フラップ部２０の延出方向の基端寄りの位置にフラップ部伸縮部２２が形成されており、各フラップ部伸縮部２２は、フラップ部２０の上縁と下縁との間に亘っている。
フラップ部２０は、前方部Ｂにおいて、股下部Ｃの最小幅部分におけるおむつ両側縁の位置よりもおむつ幅方向外方に延出する部分であり、吸収性コア４が存在していないことが好ましい。
【００１３】
おむつ１における両フラップ部２０は、延出方向の基端寄りの位置に形成されたフラップ部伸縮部２２と、その先端側に形成された、実質的に伸縮性を有しない非伸縮部２３とを有する。
両フラップ部２０は、フラップ部伸縮部２２を形成する伸縮性シート及び非伸縮部２３を形成するシートとが連結された構成の複合シートを、前方部Ｂの本体部分の両側縁部に、接着剤、ヒートシール、超音波シール等の公知の接合方法により接合して形成されている。
【００１４】
おむつ１は、従来のウエストバンドタイプのおむつと同様にして、着用者に装着することができる。
例えば、図２及び図３に示すように、着用者の背側に、後方部Ａのおむつ幅方向中央部分を位置させ、両ウエストバンド部１０を着用者の腹側に持ってくる。そして、バンド止着部１１を有するウエストバンド部１０を、他方のウエストバンド部１０に重ね、バンド止着部１１を介して両ウエストバンド部を、着用者の腹側において互いに連結する。
次いで、着用者の股間を通して着用者の前方に引き出した前方部Ｂを、ウエストバンド部１０の高さまで引き上げ、該前方部Ｂを左右に引っ張りつつ、各おむつ止着部２１を、連結された状態のウエストバンド部１０に係合止着させる。
【００１５】
おむつ１における、ウエストバンド部１０のバンド部伸縮部１２及びフラップ部２０のフラップ部伸縮部２２は、好ましくはおむつを着用した状態（おむつ着用状態）において、図４に示すように、バンド部伸縮部１２とフラップ部伸縮部２２とが、左右のおむつ止着部２１，２１同士間Ｄにおいて互いに重なるように形成されている。図４には、両伸縮部１２，２２が重なっている部分が、符号Ｐで示されている。
【００１６】
おむつ１においては、着用者のウエスト廻りの周長や、着用者に装着する際における、ウエストバンド部や前方部の伸縮部の引っ張りの程度に応じて、バンド部伸縮部１２とフラップ部伸縮部２２とが重なる程度が変化する。そのため、着用者の体形や装着時の引っ張りの程度によっては、バンド部伸縮部１２とフラップ部伸縮部２２とが重ならない場合も起こり得る。
【００１７】
本発明においては、着用者の体形や装着時の引っ張りの程度によって両伸縮部が重ならない場合があったとしても、少なくとも、下記の標準着用状態において、ウエストバンド部の伸縮部１２とフラップ部の伸縮部２２とが重なっていれば、両伸縮部が、おむつ着用状態において重なっているとする。両伸縮部は、着用者の背側及び腹側の何れかの側において重なっていることが必要である。
（標準着用状態）
標準着用状態とは、フラップ部の各先端部（図１及び図４の左右方向の各端部）を把持して、前方部Ｂを、おむつ幅方向に荷重５０ｃＮとなる迄引っ張った時における該前方部Ｂの幅を幅Ｗ（図４参照）とし、その使い捨ておむつを、ウエスト廻りの周長が前記幅Ｗの２倍である着用者（又は着用者モデル）Ｍに、前方部Ｂの幅（ウエストバンド側に向けられる面に沿って測定した幅）が前記幅Ｗとなるように該前方部Ｂをおむつ幅方向に伸長させた状態で、装着した状態である。尚、着用者（又は着用者モデル）のウエスト廻りの周長は、ウエストバンド部の上縁部が当接される部位における周長を測定する。
【００１８】
本発明のおむつにおいては、標準着用状態における、ウエストバンド部１０の伸縮部１２とフラップ部２０の伸縮部２２との重なり幅Ｗ１（図４参照）が、着用者の体形の個人差に対する適応性及び脚周りのフィット性を確実に高める観点から、少なくとも１ｃｍ以上であることが好ましく、特に２〜５ｃｍであることが好ましい。
【００１９】
本実施形態のおむつ１によれば、バンド部伸縮部１２及びフラップ部伸縮部２２を有し、着用状態において両者が重なる部分Ｐを有するため、着用者の体形の個人差に対する適応性が高く、幅広い着用者において、脚周りに優れたフィット性を得ることができる。
【００２０】
好ましくは、本実施形態のおむつ１を、標準的な体形の着用者（以下、標準着用者という）を想定して、該標準着用者に、バンド部伸縮部１２及びフラップ部伸縮部２２をある程度伸長させて装着した場合に理想的なレッグホール形状が得られるように設計しておく。
実際の着用者のウエスト廻りの周長が、標準着用者のウエスト廻りの周長よりも長い場合には、バンド部伸縮部１２及びフラップ部伸縮部２２を、標準着用者の場合よりも大きく伸長して装着する。反対に、実際の着用者のウエスト廻りの周長が、標準着用者のウエスト廻りの周長よりも短い場合には、バンド部伸縮部１２及びフラップ部伸縮部２２を、伸長させないか又は標準着用者の場合よりも小さく伸長して装着する。このようにして、バンド部伸縮部１２及びフラップ部伸縮部２２の伸長あるいは収縮の程度を変えることにより、実際の着用者の体形と標準着用者の体形との間にある程度の差があっても、設計時に想定した適切なレッグホール形状を得ることができ、実際の着用者の体形の個人差等に拘わらずに、優れた漏れ防止性が得られる。
【００２１】
また、着用状態において、バンド部伸縮部１２及びフラップ部伸縮部２２が互いに重なった部分で良好に伸縮するため、着用中に姿勢が変化した場合や、空腹時と満腹時等のお腹の張り具合が変化した場合等においても、着用者に加わる圧力の変動が低減され、優れた着用感が得られる。更に、万一、きつく当てすぎた場合においても着用者に加わる圧力が低減される。
更に、伸縮部は非伸縮部と比べて表面摩擦が大きく、伸縮部が重なり合うことで、バンド部とフラップ部や前身頃ないし前方部との間にずれが生じにくい。伸縮部同士の摩擦抵抗が大きいのは、伸張下に配された伸縮材の収縮により、表面に凹凸ないしギャザーが形成され、両伸縮部の凸凹がからみ合ったり、あるいは、伸縮性を示す材料はゴム類やその他エラストマーなどからなり場合が多く、これらの材料は表面の摩擦抵抗が非常に大きいこと等による。
【００２２】
本発明のおむつにおいては、上述したように、実際の使用者の体形の個人差等に拘わらずに、優れた漏れ防止性が得られるため、股下部Ｃにおける吸収性コア４の幅をある程度狭くして装着性を向上させることが可能である。股下部Ｃの吸収性コア４の最小幅としては、例えば、幼児用のおむつにおいては、５〜７ｃｍとすることができる。ここでいう最小幅は、おむつを図１に示すように平面状に広げた状態において、おむつの幅方向と平行に測定する。
【００２３】
バンド部伸縮部１２及びフラップ部伸縮部２２を形成する伸縮性シートとしては、各種公知の伸縮性シートを用いることができ、例えば、エラストマー材料からなるシートの片面又は両面に、おむつ幅方向に伸張可能な繊維集合体を積層して一体化してなる積層シートを用いることができる。
エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。
おむつ幅方向に伸張可能な繊維集合体としては、スリットの形成等の２次的な加工を施さなくてもそれ自体伸張性を有する不織布、例えばスパンデックスからなる不織布等や、それ自体は伸張性を有しないものにスリットの形成等の２次的な加工により伸張性を付与したもの等を用いることができる。
【００２４】
また、バンド部伸縮部１２及びフラップ部伸縮部２２を形成する伸縮性シートとしては、特許文献１，２、特開平９−２９０００２号公報、特開平９−２９９４０４号の各公報記載のもの等を用いることもできる。
尚、ウエストバンド部やフラップ部の伸縮部以外の部分を形成するシート材としては、使い捨ておむつ等に従来用いられている各種公知のシート材、例えば、不織布や、不織布と樹脂フィルムとのラミネート等を用いることができ、不織布としては、例えばサーマルボンド不織布、ニードルパンチ不織布、スパンレース不織布等を好ましく用いることができる。
【００２５】
ウエストバンド部１０の裏面シート３側の面は、機械的ファスナーの凸部材が直接係合可能な材料からなることが好ましい。そのようなシート材としては、各種の不織布、例えばサーマルボンド不織布、ニードルパンチ不織布、スパンレース不織布等が挙げられる。
バンド止着部１１及びおむつ止着部２１，２１は、その表面に多数の錨形や鉤形のオス型係合部材が配された、機械的ファスナーの凸部材等を用いることができる。機械的ファスナーの凸部材としては、例えば「マジックテープ（登録商標）」（クラレ社製）、「クイックロン（登録商標）」（ＹＫＫ社製）、「マジクロス（登録商標）」（カネボウベルタッチ社製）等の市販品等を用いることができる。
尚、表面シート２、裏面シート３、吸収性コア４及び立体ガード７等の構成材料としては、使い捨ておむつに従来用いられている各種公知のものを特に制限なく用いることができる。
【００２６】
次に、本発明の他の実施形態としてのおむつ１Ａ〜１Ｃについて、図５〜図７を参照して説明する。ナプキン１Ａ〜１Ｃについては、主として、上述したナプキン１と異なる点について説明し、同様の点については、同一の符号を付して説明を省略する。特に言及しない点については、上述したおむつ１に関する説明が適宜適用される。
第２実施形態のおむつ１Ａにおいては、図５に示すように、各ウエストバンド部１０における、延出方向の基端部の近傍部と、延出方向の中央部よりやや先端側に偏倚した位置とに、２つのバンド部伸縮部１２ａ及び１２が形成されている。着用状態、特に上述した標準着用状態においては、図５（ｂ）に示すように、バンド部伸縮部１２とフラップ部伸縮部２２とが重なるようになっている。尚、一方のバンド部伸縮部１２ａと他方のバンド伸縮部１２とは離間しており、これら両伸縮部間に、おむつ止着部２１が係合止着する。
【００２７】
第３実施形態のおむつ１Ｂにおいては、図６に示すように、各ウエストバンド部１０における、延出方向の先端部近傍部を除くほぼ全域がバンド部伸縮部１２となっている。第４実施形態のおむつ１Ｃにおいては、図７に示すように、各ウエストバンド部１０の全域がバンド部伸縮部１２となっている。
【００２８】
第２〜第４実施形態のおむつ１Ａ〜１Ｃにおいても、着用状態において、ウエストバンド部１０の伸縮部１２とフラップ部２０の伸縮部２２とが重なるようになされているため、上述したおむつ１と同様の作用効果が奏される。
【００２９】
本発明においては、例えば、図８に示すように、一方のフラップ部２０の伸縮部２２と、他方のフラップ部２０の伸縮部２２との間に、第２のおむつ止着部２４が設けられていることが好ましい。本発明においては、前方部Ｂの各フラップ部２０に伸縮部２２を設けてあるため、おむつが多量の排泄物を吸収した状態では、ウエストバンド部に重ねた状態の前方部Ｂが下方にズレ落ち易く、更に他のものに引っかけた場合等には、おむつ止着部の係合が解除される恐れもある。左右の伸縮部２２間に、おむつ止着部２４を設け、前方部Ｂを、左右の伸縮部２２間においてもウエストバンド部に係合止着することで、そのようなズレ落ちや意図しない係合の解除を防止することができる。
【００３０】
このような効果が一層確実に奏されるようにする観点から、第２のおむつ止着部２４は、両フラップ部２０それぞれに設けることが好ましい。第２のおむつ止着部２４を、吸収性コア４と重なるように形成した場合には、ズレ落ち防止効果が減少する。また、図９に示すように、前方部Ｂの端縁と吸収性コア４の端縁との間にある程度の距離がある場合には、両端縁間に、第２のおむつ止着部２４を設けることも好ましい。図９の実施形態によれば、図８の実施形態と同様の効果が得られる。
尚、図８又は図９に示した前方部Ｂの構成は、上述したおむつ１、１Ａ〜１Ｄの何れにも適用することもできる。また、第２のおむつ止着部２４の形成材料としては、おむつ止着部２１と同様のものを用いることができる。
【００３１】
本発明の使い捨ておむつは、図１に示すおむつ１のように、股下部Ｃの両側部にレッグギャザー形成用のレッグ弾性部材６１が配されている場合、フラップ部２０の伸縮部２２と該レッグ弾性部材６１とが、おむつ長手方向において離間していることが好ましい。フラップ部２０の伸縮部２２とレッグ弾性部材６１とが離間させることで、レッグ弾性部材６１の収縮力によりフラップ部が収縮することを防止できる。フラップ部２０の伸縮部２２とレッグ弾性部材６１との離間距離Ｌ１は、０〜５ｃｍであることが好ましく、特に２〜５ｃｍであることが好ましい。尚、図１に示すおむつ１においては、フラップ部２０の伸縮部２２とレッグ弾性部材６１とが、おむつ幅方向にずれて存在しており、そのため、一層フラップ部の収縮を防止することができる。
【００３２】
本発明のおむつカバーの好ましい実施形態としては、上述した各実施形態のおむつ１，１Ａ〜１Ｄから吸収性コアを除去したもの等を挙げることができる。本発明のおむつカバーは、通常、その内表面側（表面シート側）に、液保持性の吸収性コアを具備する補助吸収具を配置して用いられる。補助吸収具としては、各種公知のものを用いることができる。
【００３３】
本発明の使い捨ておむつ及びおむつカバーは、上述した実施形態に制限されず、本発明の趣旨を逸脱しない範囲で種々変更が可能である。
例えば、上述した各実施形態のおむつにおける、ウエスト部弾性伸縮部材５１、レッグ弾性伸縮部材６１及び立体ガード７は、それぞれ一部又は全部を省略することができる。
また、上述した各実施形態のおむつにおけるフラップ部伸縮部２２は、フラップ部２０の基端部寄りの一部のみに形成されていたが、フラップ部２０の延出方向の中央より基端２３側の半分を伸縮部２２としたり、フラップ部２０の全体を伸縮部２２とすることもできる。
また、バンド部止着部１１は、両方のウエストバンド部に設けても良い。また、本発明の使い捨ておむつは、幼児用及び成人用の何れのおむつであっても良い。
【図面の簡単な説明】
【００３４】
【図１】図１は、本発明の一実施形態である使い捨ておむつを平面状に拡げた状態を示す平面図である。
【図２】図２は、図１の使い捨ておむつの着用状態の一例を示す斜視図である。
【図３】図３は、図１の使い捨ておむつの着用状態を示す図で、図２のII−II線断面図である。
【図４】図４は、図１の使い捨ておむつの標準着用状態におけるウエストバンド部と前方部との重なり状態を示す図である。
【図５】図５は、本発明の他の実施形態としての使い捨ておむつを示す図で、図５（ａ）は模式平面図、図５（ｂ）は、図４相当図である。
【図６】図６は、本発明の更に他の実施形態としての使い捨ておむつを示す図で、図６（ａ）は模式平面図、図６（ｂ）は、図４相当図である。
【図７】図７は、本発明の更に他の実施形態としての使い捨ておむつを示す図で、図７（ａ）は模式平面図、図７（ｂ）は、図４相当図である。
【図８】図８は、本発明の更に他の実施形態としての使い捨ておむつを示す図である。
【図９】図９は、本発明の更に他の実施形態としての使い捨ておむつを示す図である。
【符号の説明】
【００３５】
１，１Ａ〜１Ｃ  使い捨ておむつ
２  表面シート
３  裏面シート
４  吸収性コア
１０  ウエストバンド部
１１  バンド止着部
１２  バンド部伸縮部（伸縮部）
２０  フラップ部
２１  おむつ止着部
２２  フラップ部伸縮部（伸縮部）
Ａ  後方部
Ｂ  前方部
Ｃ  股下部
【図１】
2006042863.tif 000003
【図２】
2006042863.tif 000004
【図３】
2006042863.tif 000005
【図４】
2006042863.tif 000006
【図５】
2006042863.tif 000007
【図６】
2006042863.tif 000008
【図７】
2006042863.tif 000009
【図８】
2006042863.tif 000010
【図９】
2006042863.tif 000011